(57)【要約】【課題】ケーブルガイドを用いたケーブル配索部の曲げ変形の自由度の向上、軽量化及び小型化が図れるケーブル配索構造を提供する。【解決手段】このケーブル配索構造では、キャタピラ状のケーブルガイド１に挿通するケーブルの少なくとも一部をフラットケーブル５としている。例えば、ケーブルガイド１に、断面略丸形の複数の通常ケーブルからなるケーブル束３と、層状に重ね合わされた複数のフラットケーブル５とを挿通している。【選択図】　　　　図１
2004147469.tif 000002
【特許請求の範囲】
【請求項１】
略平面内で曲げ変形するように線状に連結された複数の略筒形のリンク部材で構成されたケーブルガイド内に複数のケーブルを挿通して、ケーブルの配索を行うケーブル配索構造であって、
前記ケーブルガイドに挿通される前記複数のケーブルのうちの少なくとも一部が、並列配置された複数の導体線を備えた可撓性のフラットケーブルとされている、ケーブル配索構造。
【請求項２】
請求項１に記載のケーブル配索構造において、
前記フラットケーブルは、その厚み方向が前記ケーブルガイドの屈曲方向と略平行になるようにして前記ケーブルガイド内に配置されている、ケーブル配索構造。
【請求項３】
請求項２に記載のケーブル配索構造において、
前記フラットケーブルは、積層された状態で前記ケーブルガイド内に配置されている、ケーブル配索構造。
【請求項４】
請求項１ないし３のいずれかに記載のケーブル配索構造において、
前記リンク部材の内部空洞は、仕切部によって、断面略丸形の通常ケーブル挿通用の第１収容部と、フラットケーブル挿通用の第２収容部とに分割されている、ケーブル配索構造。
【請求項５】
請求項１ないし３のいずれかに記載のケーブル配索構造において、
前記ケーブルガイドに挿通される前記複数のケーブルの全部がフラットケーブルである、ケーブル配索構造。
【請求項６】
請求項５に記載のケーブル配索構造において、
前記リンク部材の側壁部には、その内部空洞内にフラットケーブルを挿入するためのスリット部が設けられている、ケーブル配索構造。
【請求項７】
請求項１ないし６のいずれかに記載のケーブル配索構造は、車体とスライドドアとの間においてケーブルを配索するためのものである、ケーブル配索構造。
【発明の詳細な説明】
【０００１】
【発明の属する技術分野】
本発明は、キャタピラ状のケーブルガイドにケーブルを挿入して配索するケーブル配索構造に関し、特に車体とスライドドアとの間におけるケーブル配索構造に関する。
【０００２】
【従来の技術】
この種の従来技術としては、特許文献１記載のものがある。この従来技術では、キャタピラ状のケーブルガイドに断面略丸形の複数の通常ケーブルを挿通して配索している。なお、本願発明に関連する先行技術としては、特許文献２ないし５記載のものがある。
【０００３】
【特許文献１】
米国特許第６１７４０２０号公報
【特許文献２】
特開２００２−２３３０２６公報
【特許文献３】
特開２００２−１７０３２公報
【特許文献４】
特開平１０−９３６号公報
【特許文献５】
特開２０００−５０４７２公報
【０００４】
【発明が解決しようとする課題】
しかしながら、上記従来技術では、断面略丸形の複数の通常ケーブルをケーブルガイドに挿通する構成であるため、配索する電線数の増加はケーブルガイドに挿入されるケーブル数の増加として直接的に反映される。このため、ケーブル数の増加により、ケーブル束の曲げ変形可能な最小曲げ半径が増大し、ケーブルガイドの曲げ変形の自由度が損なわれてしまう。また、ケーブル数の増加により、ケーブル束の重量及び断面積が増加するため、ケーブルガイドを用いたケーブル配索部の重量増加、大型化等を招く。
【０００５】
そこで、本発明は、ケーブルガイドを用いたケーブル配索部の曲げ変形の自由度の向上、軽量化及び小型化が図れるケーブル配索構造を提供することを目的とする。
【０００６】
【課題を解決するための手段】
前記目的を達成するための技術的手段は、略平面内で曲げ変形するように線状に連結された複数の略筒形のリンク部材で構成されたケーブルガイド内に複数のケーブルを挿通して、ケーブルの配索を行うケーブル配索構造であって、前記ケーブルガイドに挿通される前記複数のケーブルのうちの少なくとも一部が、並列配置された複数の導体線を備えた可撓性のフラットケーブルとされている。
【０００７】
好ましくは、前記フラットケーブルは、その厚み方向が前記ケーブルガイドの屈曲方向と略平行になるようにして前記ケーブルガイド内に配置されているのがよい。
【０００８】
また、好ましくは、前記フラットケーブルは、積層された状態で前記ケーブルガイド内に配置されているのがよい。
【０００９】
さらに、好ましくは、前記リンク部材の内部空洞は、仕切部によって、断面略丸形の通常ケーブル挿通用の第１収容部と、フラットケーブル挿通用の第２収容部とに分割されているのがよい。
【００１０】
また、好ましくは、前記ケーブルガイドに挿通される前記複数のケーブルの全部がフラットケーブルであるのがよい。
【００１１】
さらに、好ましくは、前記リンク部材の側壁部には、その内部空洞内にフラットケーブルを挿入するためのスリット部が設けられているのがよい。
【００１２】
また、好ましくは、このケーブル配索構造は、車体とスライドドアとの間においてケーブルを配索するためのものであるのがよい。
【００１３】
【発明の実施の形態】
図１は本発明に係るケーブル配索構造を示す図であり、図２及び図３はケーブルガイドの構成を示す図である。このケーブル配索構造では、図１ないし図３に示すように、キャタピラ状のケーブルガイド１に、ケーブル束３と、層状に重ね合わされた複数のフラットケーブル５を挿通して配索している。ケーブル束３は、断面略丸形の複数の通常ケーブル３ａ（図６参照）より構成されている。ここで、通常ケーブル３ａの一例としては、例えば所定の容量が必要な電源供給用の電線等が考えられ、フラットケーブル５の一例としては、例えば容量が要求されない信号線等が考えられる。なお、ケーブル束３の代わりに、大径の単一のケーブル３ａが挿通される場合もある。
【００１４】
ケーブルガイド１は、略平面内で曲げ変形するように、駒部材（リンク部材）１１が線状に連結されて構成されている。各駒部材１１は、胴部１３と、その胴部１３の一端部に設けられ、回転軸として機能する一対の凸部１５と、胴部１３の他端部に設けられ、連結される相手側の駒部材１１の凸部１５を軸支する一対の受け部（ここでは受け孔）１７とを備えて構成されている。胴部１３は、略矩形筒状の形状を有し、ケーブル束３及びフラットケーブル５が挿通可能な内径を有している。
【００１５】
フラットケーブル５は、図４に示すように、並列配置された複数（例えば、４本）の導体線（例えば、断面平角状の導体線）２１を備え、可撓性を有する薄い帯状の形態に構成されている。本実施形態では、複数の導体線２１が、２枚の絶縁フィルム２３の間に挟み込まれている。このようなフラットケーブル５は、薄く柔軟に曲げ変形するという性質を有している。すなわち、図５及び図６においてフラットケーブル５とケーブル束３とについて曲げ変形可能な最小曲げ半径Ｒ１，Ｒ２を比較して示すように、フラットケーブル５は、層状に複数重ねた場合にも、同一数の導体線を有する通常ケーブル３ａからなるケーブル束３と比して、より小さな曲げ半径Ｒ１で柔軟に曲げ変形するとともに、軽量かつ断面積も小さいという特性を有している。
【００１６】
このようなフラットケーブル５は、図１に示すように、曲げ変形容易な方向であるその厚み方向がケーブルガイド１の屈曲方向と平行になるように積層された状態で、ケーブル束３と共にケーブルガイド１内に挿入されている。
【００１７】
図７は、本実施形態に係るケーブル配索構造の適用例を示す図である。この適用例では、図７に示すように、本実施形態に係るケーブル配索構造が、固定的に設けられる第１の構造体（例えば、車体）３１と、第１の構造体３１に対してスライド移動可能に設けられる第２の構造体（例えば、スライドドア）３３との間のケーブルの配索に適用されている。このため、ケーブルガイド１の両端部が両構造体３１，３３にそれぞれ連結されており、第２の構造体３３のスライド移動に伴って、ケーブルガイド１及びそれに挿通されたケーブル束３及びフラットケーブル１の曲げ形態が変化するようになっている。
【００１８】
以上のように、本実施形態によれば、ケーブルガイド１に挿通するケーブルの一部をフラットケーブル５としているため、従来のように、ケーブルガイド１に挿通する複数のケーブルのすべてを断面略丸形の通常ケーブル３ａとする構成に比して、ケーブルガイド１を用いたケーブル配索部の曲げ変形の自由度の向上、軽量化及び小型化が図れる。その結果、ケーブル配索部の曲げ変形の自由度を損なうことなく、かつケーブル配索部の重量及び断面サイズを抑制しつつ、電線数の増加に対応することができる。ケーブルガイド１の断面サイズについては、ケーブルガイド１の屈曲方向に沿った幅サイズＷを特に効果的に削減できる。
【００１９】
また、ケーブル束３に比してフラットケーブル５を複数積層したものの方がより小さな力で曲げ変形させることができるため、ケーブルガイド５をより小さな力で柔軟に曲げ変形させることができる。例えば、図７に示す構成のように、第２の構造体３３をスライド移動させる際に、ケーブルが挿通されたケーブルガイド１から構造体３３に加わる負荷を低減することができ、より小さな駆動力（ドアのスライド操作力）で構造体３３をスライド駆動することができる。
【００２０】
次に、本実施形態に係るケーブル配索構造の変形例について説明する。図８に示す変形例では、同図に示すように、ケーブルガイド１を構成する駒部材１１の胴部１３の内部空洞が、仕切部４１によって、通常ケーブル挿通用の第１収容部４３と、フラットケーブル挿通用の第２収容部４５とに分割されている。この場合、ケーブルガイド１内で通常ケーブル３ａとフラットケーブル５とが干渉する（擦れ合う等）のを防止することができる。
【００２１】
図９に示す変形例では、同図に示すように、ケーブルガイド１に挿通され複数のケーブルの全部がフラットケーブル５とされている。この場合、ケーブル配索部の曲げ変形の自由度、重量、断面サイズ等の面でさらなる向上が図れる。ケーブルガイド１の断面サイズについては、通常ケーブル３ａのみを挿通する場合に比して、ケーブルガイド１の幅サイズＷを半分以下に削減できる。
【００２２】
図１０に示す変形例では、同図に示すように、ケーブルガイド１に挿通され複数のケーブルの全部がフラットケーブル５とされているとともに、ケーブルガイド１を構成する駒部材１１の胴部１３の側壁部（ケーブルガイド１の屈曲方向に面する２組の側壁部の一方）に、その内部空洞内にフラットケーブル５を挿入するためのスリット部５１が設けられている。胴部１３の内部空洞内は、スリット部５１側から見て、その横幅が中間部で段階的に拡大されており、スリット部５１から見て横幅の狭い手前側の部分がケーブル導入部５３とされ、奥側の横幅の広い部分がケーブル保持部５５とされている。ケーブル保持部５５の横幅は、フラットケーブル５の横幅と略等しいかそれ以上の大きさに設定される一方、ケーブル導入部５３の横幅は、フラットケーブル５の横幅よりも小さく設定され、スリット部５１及びケーブル導入部５３を介してケーブル保持部５５内に挿入されたフラットケーブル５が、ケーブル保持部５５内で安定して保持されるようになっている。この変形例によれば、すべてのケーブルをフラットケーブル５とすることにより上記図９の変形例とほぼ同様な効果が得られるとともに、駒部材１１に設けられるスリット部５１を介してケーブルガイド１へのフラットケーブル５の挿入を容易に行うことができる。
【００２３】
【発明の効果】
請求項１ないし７に記載の発明によれば、ケーブルガイドに挿通される複数のケーブルのうちの少なくとも一部が、可撓性のフラットケーブルとされている。フラットケーブルは、層状に複数重ねた場合にも、同一数の導体線を有する断面略丸形の通常ケーブルからなるケーブル束と比して、より小さな曲げ半径で柔軟に曲げ変形するとともに、軽量かつ断面積も小さい。このため、従来のように、ケーブルガイドに挿通する複数のケーブルのすべてを断面略丸形の通常ケーブルとする構成に比して、ケーブルガイドを用いたケーブル配索部の曲げ変形の自由度の向上、軽量化及び小型化が図れる。その結果、ケーブル配索部の曲げ変形の自由度を損なうことなく、かつケーブル配索部の重量及び断面サイズを抑制しつつ、電線数の増加に対応することができる。
【００２４】
また、通常ケーブルからなるケーブル束に比してフラットケーブルを複数積層したもの方がより小さな力で曲げ変形させることができるため、ケーブルガイドをより小さな力で柔軟に曲げ変形させることができる。
【００２５】
請求項４に記載の発明によれば、ケーブルガイドを構成するリンク部材の内部空洞が、仕切部によって、断面略丸形の通常ケーブル挿通用の第１収容部と、フラットケーブル挿通用の第２収容部とに分割されているため、ケーブルガイド内で通常ケーブルとフラットケーブルとが干渉する（擦れ合う等）のを防止することができる。
【００２６】
請求項５に記載の発明によれば、ケーブルガイドに挿通される複数のケーブルの全部がフラットケーブルとされるため、ケーブル配索部の曲げ変形の自由度、重量、断面サイズ等の面でさらなる向上が図れる。
【００２７】
請求項６に記載の発明によれば、リンク部材の側壁部に、フラットケーブル挿入用のスリット部が設けらえているため、ケーブルガイドへのフラットケーブルの挿入が容易となる。
【図面の簡単な説明】
【図１】本発明に係るケーブル配索構造を示す図である。
【図２】ケーブルガイドの構成を示す図である。
【図３】ケーブルガイドの構成を示す図である。
【図４】フラットケーブルの断面図である。
【図５】層状に重ね合わせたフラットケーブルを曲げ変形させた様子を示す図である。
【図６】通常ケーブルからなるケーブル束を曲げ変形させた様子を示す図である。
【図７】図１のケーブル配索構造の適用例を示す図である。
【図８】図１のケーブル配索構造の変形例を示す図である。
【図９】図１のケーブル配索構造の変形例を示す図である。
【図１０】図１のケーブル配索構造の変形例を示す図である。
【符号の説明】
１　ケーブルガイド
３　ケーブル束
３ａ　通常ケーブル
５　フラットケーブル
１１　駒部材
【図１】
2004147469.tif 000003
【図２】
2004147469.tif 000004
【図３】
2004147469.tif 000005
【図４】
2004147469.tif 000006
【図５】
2004147469.tif 000007
【図６】
2004147469.tif 000008
【図７】
2004147469.tif 000009
【図８】
2004147469.tif 000010
【図９】
2004147469.tif 000011
【図１０】
2004147469.tif 000012